(57)【特許請求の範囲】
【請求項１】
通信システムの移動端末において、周期的レポーティングインスタンスの中にチャンネル情報をレポーティングする方法であって、
複数のレポーティングインスタンスの中に広帯域(Wideband；ＷＢ)チャンネル品質情報を周期的に配置して転送するステップと、
前記複数のレポーティングインスタンスの中であって、二つの連続的なＷＢレポーティングインスタンスの間に、少なくとも一つの周波数-選択(Frequency-Selective；ＦＳ）チャンネル品質情報を配置して転送するステップと、を含み、
前記ＦＳチャンネル品質情報の転送周期は、Ｐ個のサブフレームであり、
前記ＷＢチャンネル品質情報を転送する周期は、前記ＦＳチャンネル品質情報の転送周期のＬ倍であり、
ＲＩ(rank information；ＲＩ)を周期的に転送するステップをさらに含み、
前記ＲＩを転送するための周期、前記ＷＢチャンネル品質情報を転送するための周期、及び前記ＦＳチャンネル品質情報の転送周期は、セミ−スタティック方式(semi-static manner)で上位階層メッセージにより構成され、
前記ＲＩを転送するための周期は、Ｋ×Ｌ×Ｐサブフレームであり、
前記ＲＩを転送するための周期は、前記ＷＢチャンネル品質情報を転送するための周期のＫ倍である、ことを特徴とするレポーティング方法。
【請求項２】
ＲＩレポーティングインスタンス及びＷＢレポーティングインスタンス、またはＦＳレポーティングインスタンスの間に衝突が発生する場合、前記ＷＢチャンネル品質情報または前記ＦＳチャンネル品質情報の転送をドロップするステップをさらに含むことを特徴とする請求項１に記載のレポーティング方法。
【請求項３】
前記ＷＢチャンネル品質情報を転送するためのレポーティングインスタンスに基づいて前記ＲＩを転送するためのレポーティングインスタンスを定義するために、オフセットを使用することを特徴とする請求項１に記載のレポーティング方法。
【請求項４】
通信システムの移動端末において、周期的レポーティングインスタンスの中にチャンネル情報をレポーティングする装置であって、
複数のレポーティングインスタンスの中に、広帯域(Wideband、ＷＢ)チャンネル品質情報を周期的に配置して転送し、前記複数のレポーティングインスタンスの中であって、二つの連続的なＷＢレポーティングインスタンスの間に、少なくとも一つの周波数-選択(Frequency-Selective、ＦＳ）チャンネル品質情報を配置して転送し、ＲＩ(rank information；ＲＩ)を周期的に転送する転送器を含み、
前記ＦＳチャンネル品質情報の転送周期は、Ｐ個のサブフレームであり、
前記ＷＢチャンネル品質情報を転送する周期は、前記ＦＳチャンネル品質情報の転送周期のＬ倍であり、
前記ＲＩを転送するための周期、前記ＷＢチャンネル品質情報を転送するための周期、及び前記ＦＳチャンネル品質情報の転送周期は、セミ−スタティック方式(semi-static manner)で上位階層メッセージにより構成され、
前記ＲＩを転送するための周期は、Ｋ×Ｌ×Ｐサブフレームであり、
前記ＲＩを転送するための周期は、前記ＷＢチャンネル品質情報を転送するための周期のＫ倍である、ことを特徴とするレポーティング装置。
【請求項５】
前記移動端末は、ＲＩレポーティングインスタンス及びＷＢレポーティングインスタンスまたはＦＳレポーティングインスタンスの間に衝突が発生する場合、前記ＷＢチャンネル品質情報または前記ＦＳチャンネル品質情報の転送をドロップすることを特徴とする請求項４に記載のレポーティング装置。
【請求項６】
前記ＷＢチャンネル品質情報を転送するためのレポーティングインスタンスに基づいて前記ＲＩを転送するためのレポーティングインスタンスを定義するために、オフセットを使用することを特徴とする請求項４に記載のレポーティング装置。
【請求項７】
通信システムの基地局において、周期的レポーティングインスタンスの中にチャンネル情報を受信する方法であって、
複数のレポーティングインスタンスの中に配置された広帯域(Wideband；ＷＢ)チャンネル品質情報を周期的に受信するステップと、
前記複数のレポーティングインスタンスの中であって、二つの連続的なＷＢレポーティングインスタンスの間に配置された少なくとも一つの周波数-選択(Frequency-Selective；ＦＳ）チャンネル品質情報を受信するステップと、を含み、
前記ＦＳチャンネル品質情報の転送周期は、Ｐ個のサブフレームであり、
前記ＷＢチャンネル品質情報を受信する周期は、前記ＦＳチャンネル品質情報の転送周期のＬ倍であり、
ＲＩ(rank information；ＲＩ)を周期的に転送するステップをさらに含み、
前記ＲＩを受信するための周期、前記ＷＢチャンネル品質情報を受信するための周期、及び前記ＦＳチャンネル品質情報の受信周期は、セミ−スタティック方式(semi-static manner)で上位階層メッセージにより構成され、
前記ＲＩを転送するための周期は、Ｋ×Ｌ×Ｐサブフレームであり、
前記ＲＩを転送するための周期は、前記ＷＢチャンネル品質情報を転送するための周期のＫ倍である、ことを特徴とする受信方法。
【請求項８】
ＲＩレポーティングインスタンス及びＷＢレポーティングインスタンスまたはＦＳレポーティングインスタンスの間に衝突が発生する場合、前記ＷＢチャンネル品質情報または前記ＦＳチャンネル品質情報の受信はドロップされることを特徴とする請求項７に記載の受信方法。
【請求項９】
前記ＷＢチャンネル品質情報を転送するためのレポーティングインスタンスに基づいて前記ＲＩを転送するためのレポーティングインスタンスを定義するために、オフセットを使用することを特徴とする請求項７に記載の受信方法。
【請求項１０】
通信システムの基地局において、周期的レポーティングインスタンスの中にチャンネル情報を受信する装置であって、
複数のレポーティングインスタンスの中に配置された広帯域(Wideband、ＷＢ)チャンネル品質情報を周期的に受信し、前記複数のレポーティングインスタンスの中であって、二つの連続的なＷＢレポーティングインスタンスの間に配置された少なくとも一つの周波数-選択(Frequency-Selective、ＦＳ）チャンネル品質情報を受信する受信機を含み、
前記ＦＳチャンネル品質情報の転送周期は、Ｐ個のサブフレームであり、
前記ＷＢチャンネル品質情報を転送する周期は、前記ＦＳチャンネル品質情報の転送周期のＬ倍であり、
前記受信機はＲＩ(rank information；ＲＩ)を周期的に受信するように構成され、
前記ＲＩを受信するための周期、前記ＷＢチャンネル品質情報を受信するための周期、及び前記ＦＳチャンネル品質情報の受信周期は、セミ−スタティック方式(semi-static manner)で上位階層メッセージにより構成され、
前記ＲＩを転送するための周期は、Ｋ×Ｌ×Ｐサブフレームであり、
前記ＲＩを転送するための周期は、前記ＷＢチャンネル品質情報を転送するための周期のＫ倍である、ことを特徴とする受信装置。
【請求項１１】
ＲＩレポーティングインスタンス及びＷＢレポーティングインスタンスまたはＦＳレポーティングインスタンスの間に衝突が発生する場合、前記ＷＢチャンネル品質情報または前記ＦＳチャンネル品質情報の受信がドロップされることを特徴とする請求項１０に記載の受信装置。
【請求項１２】
前記ＷＢチャンネル品質情報を転送するためのレポーティングインスタンスに基づいて前記ＲＩを転送するためのレポーティングインスタンスを定義するために、オフセットを使用することを特徴とする請求項１０に記載の受信装置。
【発明の詳細な説明】
【技術分野】
【０００１】
本発明は、一般的に無線通信に関し、より詳しくは、ロングタームエボリューション（ＬＴＥ）アップリンク制御チャンネル上における多重化のための技術に関する。
【背景技術】
【０００２】
近来、ランク情報（ＲＩ）フィードバックレポートを物理アップリンク制御チャンネル（ＰＵＣＣＨ）上の広帯域チャンネル品質情報／プリコーディングマトリックスインデックス（ＷＢ ＣＱＩ／ＰＭＩ）フィードバックレポートで多重化することが提案された。ＰＵＣＣＨ上でＷＢ ＣＱＩ／ＰＭＩレポートでＲＩレポートを多重化する提案された方法の１つは、ＲＩとＷＢ ＣＱＩ／ＰＭＩレポートとの間でオフセットを異に許容する一方、ＲＩレポートの周期をＷＢ ＣＱＩ／ＰＭＩレポートの整数倍に維持することが含まれている。仮に、ＷＢ ＣＱＩ／ＰＭＩとＲＩレポートとの間に衝突が発生する場合、この方法ではＷＢ ＣＱＩ／ＰＭＩレポートがドロップ(drop)するようになり、ＰＵＣＣＨ上で最近に転送された大部分のＲＩレポートはユーザ装備（ＵＥ）（または、加入者局）により使われてＰＵＣＣＨ上の構成されたリソースに関してレポーティングされたＷＢ ＣＱＩ／ＰＭＩを算出するようになる。
【０００３】
この方法において、各々のレポーティングインスタンスの間に各々のＵＥに対してＲＩレポートまたはＷＢ ＣＱＩ／ＰＭＩレポートのうちの１つに対する単一のＣＱＩレポーティングリソースをノード−Ｂ（または、基地局）が構成する。 レポーティングインスタンスは、レポートが実行されるサブ−フレームを示す。この方法は、ＲＩレポートとＷＢ ＣＱＩ／ＰＭＩを同一レポーティングインスタンスで転送しない。一方、上位階層の構成に従って毎Ｍ番目のＣＱＩレポーティングインスタンスでＷＢ ＣＱＩ／ＰＭＩの代りにＲＩだけレポーティングされ、ＷＢ ＣＱＩ／ＰＭＩは残りのＣＱＩレポーティングインスタンスでレポーティングされる。
【発明の概要】
【発明が解決しようとする課題】
【０００４】
図３は、ＣＱＩレポーティングインスタンス３００の例を図示する。この例で、Ｍ＝４であり、ＲＩレポートとＷＢ ＣＱＩ／ＰＭＩとの間のオフセットは−１である。したがって、ＷＢ ＣＱＩ／ＰＭＩレポート３０２はレポーティングインスタンス１−３及び５−７で発生し、ＲＩレポート３０４はレポーティングインスタンス０及び４または毎４番目（または、Ｍ番目）のレポーティングインスタンスで発生する。
【０００５】
提案された他の方法は、ＲＩとＷＢ ＣＱＩ／ＰＭＩレポートの周期及びこれらの間のオフセットを独立的に構成するものである。仮に、ＷＢ ＣＱＩ／ＰＭＩレポートとＲＩレポートとの間に衝突が発生すれば、この方法でもまたＷＢ ＣＱＩ／ＰＭＩレポートがドロップされる。
【０００６】
類似な方法がＰＵＣＣＨ上で周波数−選択（ＦＳ）ＣＱＩ／ＰＭＩとＲＩレポートを多重化することに使用されることもできる。
【０００７】
したがって、ＰＵＣＣＨ上でＷＢ ＣＱＩ／ＰＭＩ、ＦＳ ＣＱＩ／ＰＭＩ、及びＲＩレポートを多重化するシステム及び方法における改善がこのような技術分野で要求される。特に、ＰＵＣＣＨ上でＲＩレポートだけでなく、ＦＳ ＣＱＩ／ＰＭＩレポートでＷＢ ＣＱＩ／ＰＭＩレポートを多重化する汎用のソリューションが要求される。
【課題を解決するための手段】
【０００８】
ネットワークの通信可能領域内にある複数の加入者局と無線通信が可能な複数の基地局を備える無線通信ネットワークが提供される。上記複数の基地局のうちの少なくとも１つは、物理アップリンク制御チャンネル上で周波数−選択チャンネル品質情報／プリコーディングマトリックスインデックス（ＦＳ ＣＱＩ／ＰＭＩ）フィードバックレポートを広帯域チャンネル品質情報／プリコーディングマトリックスインデックス（ＷＢ ＣＱＩ／ＰＭＩ）フィードバックレポートとランク情報（ＲＩ）レポートで多重化する多重化方式を決定することができ、加入者局に上記多重化方式を転送することができ、上記加入者局から、上記多重化方式に従って上記物理アップリンク制御チャンネル上でＷＢ ＣＱＩ／ＰＭＩフィードバックレポート及びＲＩレポートで多重化されたＦＳ ＣＱＩ／ＰＭＩフィードバックレポートを受信することができる。
【０００９】
ネットワークの通信可能領域内にある複数の加入者局と無線通信可能な基地局が提供される。上記基地局は、物理アップリンク制御チャンネル上で周波数−選択チャンネル品質情報／プリコーディングマトリックスインデックス（ＦＳ ＣＱＩ／ＰＭＩ）フィードバックレポートを広帯域チャンネル品質情報／プリコーディングマトリックスインデックス（ＷＢ ＣＱＩ／ＰＭＩ）フィードバックレポートとランク情報（ＲＩ）レポートで多重化する多重化方式を決定することができ、加入者局に上記多重化方式を転送することができ、上記加入者局から上記多重化方式に従って上記物理アップリンク制御チャンネル上でＷＢ ＣＱＩ／ＰＭＩフィードバックレポート及びＲＩレポートで多重化されたＦＳ ＣＱＩ／ＰＭＩフィードバックレポートを受信することができる。
【００１０】
基地局を有する無線ネットワークと通信可能な移動局が提供される。上記移動局は、上記基地局から周波数−選択チャンネル品質情報／プリコーディングマトリックスインデックス（ＦＳ ＣＱＩ／ＰＭＩ）フィードバックレポートを物理アップリンク制御チャンネル上で広帯域チャンネル品質情報／プリコーディングマトリックスインデックス（ＷＢ ＣＱＩ／ＰＭＩ）フィードバックレポートで多重化する多重化方式を受信することができ、上記受信された多重化方式に従って多重化されたＦＳ ＣＱＩ／ＰＭＩフィードバックレポート、ＷＢ ＣＱＩ／ＰＭＩフィードバックレポート、及びランク情報（ＲＩ）レポートを上記物理アップリンク制御チャンネル上で転送することができる。
【００１１】
発明を実施するための具体的な内容を説明する前に、本明細書全般に亘って使われる特定単語及び文句の定義を規定することが有利である。用語“含む”及び“備える”とそれの派生語は制限がない含みを意味し、用語“または”は含む意味であって、“及び／又は”を意味するものと使われ、構文“と関連した”及び“これに関連”と、それの派生語は、含み、内に含み、相互接続、内包、内に含有、接続、連結、通信可能、協同、交互、併設、近接、拘束、所有、特性を所有などを意味することもできる。用語“制御器”は少なくとも１つの動作を制御する任意の装置、システムまたはこれの一部を意味し、このような装置は、ハードウェア、ファームウェア、またはソフトウェア、またはこれらの少なくとも２つの組合により実施されることもできる。任意の特定の制御器と関連した機能性は中央集中されることもでき、分散配置されることもできることに留意する。特定の単語及び文句の定義は本明細書全般に亘って提示され、当業者は多くの部分を理解することができ、そうでなくても大部分の場合、このような定義は従来に適用されただけでなく、このような定義された単語及び文句の将来の使用に適用される。
【図面の簡単な説明】
【００１２】
【図１】本発明の原理に係るアップリンクでのＡＣＫ／ＮＡＫメッセージを転送する好ましい無線ネットワークを示す図である。
【図２Ａ】本発明の一実施形態に係るＯＦＤＭＡ転送器のハイレベル（high-level）図である。
【図２Ｂ】本発明の一実施形態に係るＯＦＤＭＡ受信機のハイレベル図である。
【図３】ＣＱＩレポーティングインスタンスの例を示す図である。
【図４】本発明の実施形態に係るＣＱＩレポーティングインスタンスの例を示す図である。
【図５】本発明の他の実施形態に係るＣＱＩレポーティングインスタンスの例を示す図である。
【図６】本発明の実施形態に係る基地局を動作させる方法を示す図である。
【図７】本発明の実施形態に係る加入者局を動作させる方法を示す図である。
【発明を実施するための形態】
【００１３】
本発明及びその利点をより完壁に理解するために、添付の図面を参照してなされた次の説明において、同一の参照符号は同一の要素を示す。
【００１４】
以下に論議される図１乃至図６及び本明細書において本発明の原理を説明するために使われた多様な実施形態は単に例示のためのものであって、本発明の範囲を制限するための如何なる方式としても解釈されてはならない。当業者は本発明の原理が任意に適切に配列された無線通信システムで実施されることもできることを理解することができる。
【００１５】
次の説明に関して、ＬＴＥ用語“ノードＢ”は、以下に使われた他の用語“基地局”であることに留意する。また、ＬＴＥ用語“ユーザ装備”または“ＵＥ”は、以下に使われた他の用語“加入者局”であることに留意する。
【００１６】
図１は、本発明の原理に従うＡＣＫ／ＮＡＫメッセージを転送する好ましい無線ネットワーク１００を図示する。図示された実施形態において、無線ネットワーク１００は、基地局（ＢＳ）１０１、基地局（ＢＳ）１０２、基地局（ＢＳ）１０３、及びその他の類似の基地局（図示せず）を含む。基地局１０１は、基地局１０２及び基地局１０３と通信状態になり得る。また、基地局１０１はインターネット１３０または類似のＩＰ−基盤のネットワーク（図示せず）と通信状態になり得る。
【００１７】
基地局１０２は、インターネット１３０を通じて基地局１０２の通信可能領域１２０の内にある第１複数の加入者局への無線広帯域アクセス（基地局１０１を経由）を提供する。第１複数の加入者局は、小企業（ＳＢ）に位置されることもできる加入者局１１１と、企業（Ｅ）に位置されることもできる加入者局１１２と、ＷｉＦｉホットスポット（ＨＳ）に位置されることもできる加入者局１１３と、第１居住地（Ｒ）に位置されることもできる加入者局１１４と、第２居住地（Ｒ）に位置されることもできる加入者局１１５と、セルラーフォン、無線ラップトップ、無線ＰＤＡのようなモバイル装置になることもできる加入者局１１６を含む。
【００１８】
基地局１０３は、インターネット１３０を通じて基地局１０３の通信可能領域１２５の内にある第２複数の加入者局への無線広帯域アクセス（基地局１０１を経由）を提供する。第２複数の加入者局は、加入者局１１５及び加入者局１１６を含む。好ましい実施形態において、基地局１０１−１０３は、ＯＦＤＭまたはＯＦＤＭＡ技術を用いて互いに通信することもでき、加入者局１１１−１１６と通信することもできる。
【００１９】
基地局１０１は、より多い数、またはより少ない数の基地局と通信状態にあることもできる。また、図１には６個の加入者局が図示されているが、無線ネットワーク１００は追加的な加入者局に対して無線広帯域アクセスを提供することもできる。加入者局１１５及び加入者局１１６は、通信可能領域１２０と通信可能領域１２５全ての縁に位置していることに留意する。加入者局１１５及び加入者局１１６の各々は、基地局１０２と基地局１０３全てと通信し、当業者に知られたようにハンドオフモード（handoff mode）で動作しているとする。
【００２０】
加入者局１１１−１１６は、音声、データ、ビデオ、ビデオ会議、及び／又はその他の広帯域サービスをインターネット１３０を経由してアクセスすることもできる。好ましい実施形態において、１つ以上の加入者局１１１−１１６がＷｉＦｉ ＷＬＡＮのアクセスポイント（ＡＰ）と関連されることもできる。加入者局１１６は、無線支援（wireless-enabled）ラップトップコンピュータ、個人携帯端末機（personal data assistant）、ノートブック、ポータブル装置、またはその他の無線支援装置を含んで、数多いモバイル装置のうちの任意のものになることもできる。加入者局１１４及び１１５は、例えば、無線支援個人向けコンピュータ（ＰＣ）、ラップトップコンピュータ、ゲートウェイ、または他の装置になることもできる。
【００２１】
図２Ａは、直交周波数分割多重アクセス（ＯＦＤＭＡ）転送経路のハイレベル図である。図２Ｂは、直交周波数分割多重アクセス（ＯＦＤＭＡ）受信経路のハイレベル図である。図２Ａ及び図２Ｂで、ＯＦＤＭＡ転送経路は基地局１０２で実施され、ＯＦＤＭＡ受信経路は加入者局（ＳＳ）１１６で実施され、これは単に例示及び説明のためのものである。しかしながら、当業者はＯＦＤＭＡ受信経路がＢＳ １０２で実施されることもでき、ＯＦＤＭＡ転送経路がＳＳ １１６で実施されることもできることを理解するはずである。
【００２２】
ＢＳ １０２での転送経路は、チャンネルコーディング及び変調ブロック２０５、直列−並列（Ｓ−ｔｏ−Ｐ）ブロック２１０、サイズＮ逆高速フーリエ変換（ＩＦＦＴ）ブロック２１５、並列−直列（Ｐ−ｔｏ−Ｓ）ブロック２２０、追加サイクリックプリフィクス（add cyclic prefix）ブロック２２５、アップ−コンバータ（ＵＣ）２３０を含む。ＳＳ １１６での受信経路はダウン−コンバータ（ＤＣ）２５５、除去サイクリックプリフィクス（remove cyclic prefix）ブロック２６０、直列−並列（Ｓ−ｔｏ−Ｐ）ブロック２６５、サイズＮ高速フーリエ変換（ＦＦＴ）ブロック２７０、並列−直列（Ｐ−ｔｏ−Ｓ）ブロック２７５、及びチャンネルデコーディング及び復調ブロック２８０を含む。
【００２３】
図２Ａ及び図２Ｂに示すコンポーネントのうち、少なくとも幾つかはソフトウェアで実施されることもでき、一方、その他のコンポーネントは構成可能なハードウェアまたはソフトウェアとハードウェアとを混合して構成することもできる。特に、本発明に説明されたＦＦＴブロック及びＩＦＦＴブロックは構成可能なソフトウェアアルゴリズムとして実施されることもでき、ここで、サイズＮは実施によって変更されることもできる。
【００２４】
また、本発明は高速フーリエ変換及び逆高速フーリエ変換を実施する実施形態に定まっているが、これは単に図示の１つの方法であり、本発明の範囲を限定しようとする意図として解釈されてはならない。本発明の他の実施形態では、高速フーリエ変換機能と逆高速フーリエ変換機能は、離散フーリエ変換（ＤＦＴ）機能及び逆離散フーリエ変換（ＩＤＦＴ）機能に各々容易に代替されることもできることを理解するはずである。ＤＦＴ及びＩＤＦＴ機能に対して、Ｎ変数の値は任意の整数（即ち、１、２、３、４、等）になることもでき、ＦＦＴ及びＩＦＦＴ機能に対しては、Ｎ変数の値は２乗数（即ち、１、２、４、８、１６、等）の任意の整数になることもできる。
【００２５】
ＢＳ １０２で、チャンネルコーディング及び変調ブロック２０５は情報ビットセットを受信し、コーディング（例えば、ターボコーディング）を適用し、入力ビットを変調（例えば、ＱＰＳＫ、ＱＡＭ）して周波数−ドメイン変調シンボルのシーケンスを生成する。直列−並列ブロック２１０は、直列変調されたシンボルを並列データに変換（即ち、ディマルチプレックス）してＮ並列シンボルストリームを生成し、ここでＮはＢＳ １０２及びＳＳ １１６で使われたＩＦＦＴ／ＦＦＴサイズを示す。次に、サイズＮ ＩＦＦＴブロック２１５はＩＦＦＴ動作をＮ並列シンボルストリームに実行して時間−ドメイン出力信号を生成する。並列−直列ブロック２２０は、サイズＮ ＩＦＦＴブロック２１５からの並列時間−ドメイン出力シンボルを変換（即ち、マルチプルレックス）して直列時間−ドメイン信号を生成する。次に、追加サイクリックプリフィクスブロック２２５はサイクリックプリフィクスを時間−ドメイン信号に挿入する。最後に、アップ−コンバータ２３０は追加サイクリックプリフィクスブロック２２５の出力を無線チャンネルを介して転送するためにＲＦ周波数に変換する。この信号はＲＦ周波数への変換の前に基底帯域（baseband）でフィルタリングされることもできる。
【００２６】
転送されたＲＦ信号は無線チャンネルを通過してＢＳ １０２で逆動作を実行した後、ＳＳ １１６に到達するようになる。ダウン−コンバータ２５５は受信された信号を基底帯域周波数でダウンコンバーティングし、除去サイクリックプリフィクスブロック２６はサイクリックプリフィクスを除去して直列時間−ドメイン基底帯域信号を生成する。直列−並列ブロック２６５は時間−ドメイン基底帯域信号を並列時間ドメイン信号に変換する。次に、サイズＮ  ＦＦＴブロック２７０はＦＦＴアルゴリズムを実行してＮ並列周波数−ドメイン信号を生成する。並列−直列ブロック２７５は、並列周波数−ドメイン信号を変調されたデータシンボルのシーケンスに変換する。チャンネルデコーディング及び復調ブロック２８０は変調されたシンボルを復調してからデコーディングして、元の入力データストリームを復旧する。
【００２７】
各々の基地局１０１−１０３は、ダウンリンクで加入者局１１１−１１６への転送と類似な転送経路を実施することもでき、アップリンクで加入者局１１１−１１６からの受信と類似な受信経路を実施することもできる。同様に、加入者局１１１−１１６の各々は、アップリンクで基地局１０１−１０３への転送構造（architecture）に対応する転送経路を実施することもでき、ダウンリンクで基地局１０１−１０３からの受信構造に対応する受信経路を実施することもできる。
【００２８】
本発明は、ＰＵＣＣＨ上でのＲＩレポートだけでなく、周波数−選択（ＦＳ）ＣＱＩ／ＰＭＩレポートで広帯域（ＷＢ）ＣＱＩ／ＰＭＩレポートを多重化するための方法及びシステムを説明する。
【００２９】
本発明の第１方法によれば、ノード−Ｂは各々のレポーティングインスタンスの間にＷＢ ＣＱＩ／ＰＭＩレポートまたはＦＳ ＣＱＩ／ＰＭＩレポートのうちの１つに対する単一ＣＱＩレポーティングリソースを構成する。ＷＢ ＣＱＩ／ＰＭＩレポート及びＦＳ ＣＱＩ／ＰＭＩレポートの周期は、例えば、Ｐサブ−フレーム毎になされることもできる。ＷＢ ＣＱＩ／ＰＭＩレポート及びＦＳ ＣＱＩ／ＰＭＩレポートは、同一レポーティングインスタンスまたはサブ−フレームで送信されない。上位階層構成に従ってＦＳ ＣＱＩ／ＰＭＩがＬ−ｔｈ ＣＱＩレポーティングインスタンス毎にレポーティングされる代わりに、ＷＢ ＣＱＩ／ＰＭＩは単独にレポーティングされる。したがって、ＷＢ ＣＱＩ／ＰＭＩレポーティング周期は、Ｌ＊Ｐサブ−フレーム毎に発生し、ＦＳ ＣＱＩ／ＰＭＩは残りのＣＱＩレポーティングインスタンスでレポーティングされる。
【００３０】
また、ノード−Ｂは他のＣＱＩレポーティングインスタンスを各々のＵＥに対しＲＩレポーティングするために構成できる。ＲＩレポーティングの周期は、ＦＳ ＣＱＩ／ＰＭＩレポーティングのＭ倍数であるとか、毎Ｍ＊Ｐサブ−フレーム毎に発生する。オフセット（典型的には０からＬ＊Ｐ−１サブ−フレームの間）は、ＲＩとＷＢ ＣＱＩ／ＰＭＩレポーティングの間で許容される。仮に、ＲＩレポートとＷＢ ＣＱＩ／ＰＭＩまたはＦＳ ＣＱＩ／ＰＭＩレポートとの間で衝突が発生する場合、ＷＢ ＣＱＩ／ＰＭＩまたはＦＳ ＣＱＩ／ＰＭＩレポートがドロップされる。
【００３１】
一実施形態において、パラメータＰ、Ｌ、及びＭは、セミ−スタティック（semi-static）方式で無線リソース制御（ＲＲＣ）メッセージのような上位階層メッセージにより構成される。
【００３２】
図４は、本発明の実施形態に係るＣＱＩレポーティングインスタンス４００の例示図である。この例で、Ｐ＝２、Ｌ＝４、Ｍ＝８、そしてＲＩとＷＢ ＣＱＩ／ＰＭＩレポートとの間のオフセットは−１である。ＦＳまたはＷＢ ＣＱＩ／ＰＭＩレポートは、毎２ｎｄ（または、Ｐ−ｔｈ）サブ−フレーム毎に発生する。具体的には、ＦＳ ＣＱＩ／ＰＭＩレポート４０２は、サブ−フレーム３、５、７、１１、１３、及び１５で発生する。ＷＢ ＣＱＩ／ＰＭＩレポート４０４は、サブ−フレーム１、９、及び１７（毎８ｔｈ、またはM−ｔｈサブ−フレーム）で発生する。ＲＩレポート４０６は、サブ−フレーム０及び１６（毎１６ｔｈまたはＭ＊Ｐ−ｔｈサブ−フレーム）で発生する。
【００３３】
本発明の第２方法によれば、ＷＢ ＣＱＩ／ＰＭＩレポートは同一サブ−フレームでランクビット（rank bit）と結合されて転送され、ＦＳ ＣＱＩ／ＰＭＩレポートは残りのＣＱＩレポーティングインスタンスで転送される。
【００３４】
また、ノード−Ｂは幾つかの、または全てのＷＢ ＣＱＩ／ＰＭＩフィードバックレポートと一緒にＲＩレポーティングを転送する。ＲＩレポーティング周期はＷＢ ＣＱＩ／ＰＭＩフィードバックレポーティング周期の整数倍であり、毎Ｋ＊Ｌ＊Ｐサブ−フレームにて示す。この実施形態において、ＰはＦＳ ＣＱＩ／ＰＭＩレポートのレポーティング周期を表し、Ｌ＊ＰはＷＢ ＣＱＩ／ＰＭＩレポートのレポーティング周期を表す。ランクビットはＷＢ ＣＱＩ／ＰＭＩレポートが存在するサブ−フレームでレポーティングされる。しかしながら、図５に示すように、全てのＷＢ ＣＱＩ／ＰＭＩレポーティングサブ−フレームがＲＩを含むものではない。
【００３５】
図５は、本発明の他の実施形態に係るＣＱＩレポーティングインスタンス５００の例示図である。この例で、Ｐ＝２、Ｌ＝４、そしてＫ＝２である。ＦＳまたはＷＢ ＣＱＩ／ＰＭＩレポートは毎２ｎｄ（または、Ｐ−ｔｈ）サブ−フレームで発生する。具体的には、ＦＳ ＣＱＩ／ＰＭＩレポート５０２は、サブ−フレーム３、５、７、１１、１３、及び１５で発生する。ＷＢ ＣＱＩ／ＰＭＩレポート５０４は、サブ−フレーム１、９、及び１７（毎８ｔｈまたはＬ＊Ｐ−ｔｈサブ−フレーム）で発生する。ＲＩレポートは、サブ−フレーム１及び１７（毎１６ｔｈまたはＫ＊Ｌ＊Ｐ−ｔｈサブ−フレーム）でＷＢ ＣＱＩ／ＰＭＩレポートと一緒に結合されて転送される。この例で、ＷＢ ＣＱＩ／ＰＭＩレポーティングサブ−フレーム９はＲＩを含まない。
【００３６】
一例として、ＷＢ ＣＱＩ／ＰＭＩレポーティングがＲＩと一緒にコーディングされるサブ−フレームに対しては、３ＧＧＰスペック３６．２１２［２］に定義されたフォーマット２、２ａ、及び２ｂが使われる。この例で、フォーマット２が結合ＷＢ ＣＱＩ／ＰＭＩ及びＲＩレポートがＡＣＫ／ＮＡＣＫ（受信確認／受信未確認）ビットで多重化されない場合に使われる。フォーマット２ａ／２ｂは、結合ＷＢ ＣＱＩ／ＰＭＩ及びＲＩレポートがＡＣＫ／ＮＡＣＫビットで短いサイクリックプリフィクスの間、多重化される場合に使われる。フォーマット２は、ＷＢ ＣＱＩ／ＰＭＩ及びＲＩレポートが長いサイクリックプリフィクスの間、多重化される場合に使われる。
【００３７】
＜表１＞は、ＰＵＣＣＨで閉−ループ空間多重化の場合に一緒にコーディングされたＲＩとＷＢ ＣＱＩ／ＰＭＩレポートに対するペイロード（payload）サイズの例を表す。
【００３８】
【表１】
0005855456.tif 000002
【００３９】
＜表２＞は、ＰＵＣＣＨで開−ループ空間多重化の場合に一緒にコーディングされたＲＩとＷＢ ＣＱＩ／ＰＭＩレポートに対するペイロードの例を表す。
【００４０】
【表２】
0005855456.tif 000003
【００４１】
ＷＢ ＣＱＩ／ＰＭＩとＲＩレポートが短い（普通）サイクリックプリフィクスケースの間ＡＣＫ／ＮＡＣＫビットで多重化されない場合、一例では、ランク情報サブ−コードがＷＢ ＣＱＩ／ＰＭＩビットと多重化されて３ＧＧＰスペック３６．２１２［２］での表５．２．３．３−１により定義されたように、一緒にコーディングされたＲＩサブ−コード及びＷＢ ＣＱＩ／ＰＭＩビットの線形ブロックコードを形成し、これはＷＢ ＣＱＩ／ＰＭＩビットに比べてＲＩサブ−コードに対してより良好な保護を提供するようになる。
【００４２】
ＷＢ ＣＱＩ／ＰＭＩとＲＩレポートが拡張されたサイクリックケースの間ＡＣＫ／ＮＡＣＫビットで多重化される場合、一例では、ＷＢ ＣＱＩ／ＰＭＩビットだけでなく、ランク情報サブ−コードがＡＣＫ／ＮＡＣＫサブ−コードで多重化されて、３ＧＧＰスペック３６．２１２［２］で表５．２．３．３−１により定義されたように、一緒にコーディングされたＲＩサブ−コードとＷＢ ＣＱＩ／ＰＭＩビットの線形ブロックコードを形成する。
【００４３】
一例（ＲＩサブ−コードの以後にコーディングされたビットの個数がＱＲＩ）によれば、仮にＱ０ＲＩにより定義されたただ１つのランクビットが存在する場合、ランクビットはＱＲＩ回繰り返して符号語（コードワード）を形成する。２つのランクビット（［Ｑ０ＲＩＱ０ＲＩ］と表示）が存在する場合、この２つのランクビットは単純に［ＱＲＩ／２］倍繰り返して符号語を形成する。例えば、仮にＱＲＩ＝４の場合、符号語は［Ｑ１ＲＩＱ０ＲＩＱ１ＲＩＱ０ＲＩ］によって与えられる。仮にＱＲＩが偶数でない場合、符号語はＱ１ＲＩＱ０ＲＩと連結される。
【００４４】
この２つのランクビット［Ｑ１ＲＩＱ０ＲＩ］に対してコーディングされたビットを形成するために、この２つのビットは、＜表３＞に表した単一（３、２）コードに従って３−ビット符号語にマッピングされる。
【００４５】
【表３】
0005855456.tif 000004
【００４６】
符号語は［ＱＲＩ／３］回繰り返し、結果シーケンスは符号語ｃ１ｃ２ｃ３で第１のＱＲＩ−３＊［ＱＲＩ／２］ビットと連結される。この連結されたビットシーケンスは変調され、チャンネルシーケンス内にマッピングされる最後にコーディングされたビットシーケンスとなる。
【００４７】
本発明の他の実施形態において、ノード−Ｂは上位階層信号を用いて、例えば、セルアンテナ、及びチャンネル構成に従って、前述した第１または第２方法のうちの１つを用いて動作するように与えられたＵＥをセミ−スタティック的に構成する。
【００４８】
一例で、仮にＵＥがオープン−ループ空間マルチプレックシングを実行している場合、一緒にコーディングされたＷＢ ＣＱＩ／ＰＭＩ及びＲＩレポートに対して全体的なペイロードが多くても６ビットであるので、第２方法がより適した選択になることができる。したがって、この結合レポートの通信可能領域はイシューになることを期待できないが、ＰＵＣＣＨリソースでの節約が重要である。
【００４９】
他の例で、仮にＵＥが拡張されたサイクリックプリフィクスで閉−ループ空間多重化を実行している場合、一緒にコーディングされたＷＢ ＣＱＩ／ＰＭＩとＲＩレポートが１３ビットまでペイロードを有するので、ノード−Ｂは第１方法を用いてＵＥのＰＵＣＣＨレポートを構成することができる。２つのＡＣＫ／ＮＡＣＫビットまで結合される場合、結果的なペイロードは拡張サイクリックプリフィクスでフォーマット２によりサポートされる許容可能なペイロードを超過するようになる。したがって、この場合においては第２の方法が良好な選択とはならない。
【００５０】
図６は、本発明の実施形態に係る基地局を動作させる方法６００を図示する。ステップ６０２で、基地局は周波数−選択チャンネル品質情報／プリコーディングマトリックスインデックス（ＦＳ ＣＱＩ／ＰＭＩ）フィードバックレポートを１つ以上の加入者局の各々で受信した広帯域チャンネル品質情報／プリコーディングマトリックスインデックス（ＷＢ ＣＱＩ／ＰＭＩ）フィードバックレポート、及びランク情報（ＲＩ）レポートで多重化する方式を決定する。ステップ６０４で、基地局は１つ以上の加入者局の各々で受信したＲＩレポートとＷＢ ＣＱＩ／ＰＭＩフィードバックレポートとの間のオフセットを決定する。ステップ６０６で、基地局は多重化方式及びオフセットを各々の加入者局に転送する。ステップ６０６で、基地局は決定された多重化方式とオフセットに従って物理アップリンク制御チャンネル上で多重化された１つ以上の加入者局の各々からＦＳ ＣＱＩ／ＰＭＩフィードバックレポート、ＷＢ ＣＱＩ／ＰＭＩフィードバックレポート、及びＲＩレポートを受信する。このステップは、物理アップリンク制御チャンネルの異なるサブ−フレームでＦＳ ＣＱＩ／ＰＭＩフィードバックレポートとＷＢ ＣＱＩ／ＰＭＩフィードバックレポートを受信するステップを含むこともできる。このステップは、第１セットのサブ−フレームの毎Ｐ−ｔｈサブ−フレームでＦＳ ＣＱＩ／ＰＭＩフィードバックレポートを受信するステップと、第１セットのサブ−フレームの毎Ｌ＊Ｐ−ｔｈサブ−フレームでＦＳ ＣＱＩ／ＰＭＩフィードバックレポートの代りにＷＢ ＣＱＩ／ＰＭＩフィードバックレポートをレポーティングするステップをさらに含むこともできる。ステップ６０８で、基地局は受信したＦＳ ＣＱＩ／ＰＭＩフィードバックレポート、ＷＢ ＣＱＩ／ＰＭＩフィードバックレポート、及びＲＩレポートに基づいて各加入者局に対するスケジューリングとリンク適用に進行する。
【００５１】
図７は、本発明の実施形態に係る加入者局を動作させる方法７００を図示する。ステップ７０２で、加入者局は周波数−選択チャンネル品質情報／プリコーディングマトリックスインデックス（ＦＳ ＣＱＩ／ＰＭＩ）フィードバックレポートを広帯域チャンネル品質情報／プリコーディングマトリックスインデックス（ＷＢ ＣＱＩ／ＰＭＩ）フィードバックレポートと物理アップリンク制御チャンネル上でのランク情報（ＲＩ）で多重化する方式を受信する。ステップ７０４で、加入者局はＲＩレポートとＷＢ ＣＱＩ／ＰＭＩフィードバックレポートとの間のオフセットを受信する。ステップ７０６で、加入者局は受信した多重化方式とオフセットに従ってＦＳ ＣＱＩ／ＰＭＩフィードバックレポート、ＷＢ ＣＱＩ／ＰＭＩフィードバックレポート、及びランク情報（ＲＩ）レポートを転送する。このステップは、物理アップリンク制御チャンネルの異なるサブ−フレームでＦＳ ＣＱＩ／ＰＭＩフィードバックレポート及びＷＢ ＣＱＩ／ＰＭＩフィードバックレポートを転送するステップを含むこともできる。このステップは、第１セットのサブ−フレームの毎Ｐ−ｔｈサブ−フレームでＦＳ ＣＱＩ／ＰＭＩフィードバックレポートを転送するステップ、及び第１セットのサブ−フレームの毎Ｌ＊Ｐ−ｔｈサブ−フレームでＦＳ ＣＱＩ／ＰＭＩフィードバックレポートの代りにＷＢ ＣＱＩ／ＰＭＩフィードバックレポートをレポーティングするステップをさらに含むこともできる。
【００５２】
本発明は好ましい実施形態を通じて説明されたが、多様な変更及び変形が当業者によって提示されることもできる。本発明のこのような変更及び変形は添付の特許請求範囲内に含まれる。
【符号の説明】
【００５３】
１００    無線ネットワーク
１０１−１０３    基地局
１１１−１１６    加入者局
１３０    インターネット
１２０、１２５    通信可能領域
２０５    チャンネルコーディング及び変調ブロック
２１０    直列−並列（Ｓ−ｔｏ−Ｐ）ブロック
２１５    サイズＮ逆高速フーリエ変換（ＩＦＦＴ）ブロック
２２０    並列−直列（Ｐ−ｔｏ−Ｓ）ブロック
２２５    追加サイクリックプリフィクスブロック
２３０    アップ−コンバータ
２５５    ダウン−コンバータ（ＤＣ）
２６０    除去サイクリックプリフィクス
２６５    直列−並列（Ｓ−ｔｏ−Ｐ）ブロック
２７０    サイズＮ高速フーリエ変換（ＦＦＴ）ブロック
２７５    並列−直列（Ｐ−ｔｏ−Ｓ）ブロック
２８０    チャンネルデコーディング及び復調ブロック
【図１】
0005855456.tif 000005
【図２Ａ】
0005855456.tif 000006
【図２Ｂ】
0005855456.tif 000007
【図３】
0005855456.tif 000008
【図４】
0005855456.tif 000009
【図５】
0005855456.tif 000010
【図６】
0005855456.tif 000011
【図７】
0005855456.tif 000012